(57)【要約】【課題】サンプルの数の計測作業を、より容易に行い、また当該作業を途中で中断しても、最初から作業をし直すことなく、容易に中断したところから再開できる計数器（カウンタ）を提供すること。【解決手段】筆記部と、前記筆記部に接続され、前記筆記部の被筆記体への押圧動作に応じて退動・進出するインク収容体と、前記インク収容体の退動・進出動作を検出する検出手段と、前記検出手段の出力に基づき、計数する計数手段とを備えてなるペン型カウンタ。【選択図】  図２
2004255709.tif 000002
【特許請求の範囲】
【請求項１】
筆記部と、前記筆記部に接続され、前記筆記部の被筆記体への押圧動作に応じて退動・進出するインク収容体と、前記インク収容体の退動・進出動作を検出する検出手段と、前記検出手段の出力に基づき、計数する計数手段とを備えてなるペン型カウンタ。
【請求項２】
検出手段が、マイクロスイッチにより構成された請求項１に記載のペン型カウンタ。
【請求項３】
検出手段が、圧電素子により構成された請求項１に記載のペン型カウンタ。
【請求項４】
インク収容体の端部と検出手段の間に、中間部材および延長ロッドが設けられた請求項２または３に記載のペン型カウンタ。
【請求項５】
検出手段が、フォトセンサにより構成された請求項１に記載のペン型カウンタ。
【請求項６】
検出手段の出力を、計数手段に、有線もしくは無線伝送する信号伝達手段を備えた請求項１に記載のペン型カウンタ。
【発明の詳細な説明】
【０００１】
【発明の属する技術分野】
本発明は、ペン型カウンタに関する。
【０００２】
【従来の技術】
サンプルの数の計測作業は、多くの場合、作業員が頭の中で数を計測したり、ハンドカウンタを用いて計測したりしていた。そのため、当該作業中には、作業場所を途中で離れたり、計測数を間違えたりすることがよくあった。また、他の作業員に話しかけられたりして、計測作業が中断されたりした場合には、それまで計測した数やサンプルを忘れることも多々あり、最初から計測作業をし始め直さなければならないということもあった。
【０００３】
【発明が解決しようとする課題】
このような状況のもと、本発明者らは、サンプルの数の計測作業を、より容易に行い、また当該作業を途中で中断しても、最初から作業をし直すことなく、容易に中断したところから再開できる計数器（カウンタ）について鋭意検討したところ、筆記部の被筆記体への押圧動作に応じて退動・進出する、筆記部が接続されたインク収容体の当該退動・進出動作をマイクロスイッチ等の検出手段で検出し、前記検出手段の出力に基づき、計数するペン型カウンタを用いることにより、容易に計数作業ができることを見出し、本発明に至った。
【０００４】
【課題を解決するための手段】
すなわち本発明は、筆記部と、前記筆記部に接続され、前記筆記部の被筆記体への押圧動作に応じて退動・進出するインク収容体と、前記インク収容体の退動・進出動作を検出する検出手段と、前記検出手段の出力に基づき、計数する計数手段とを備えてなるペン型カウンタを提供するものである。
【０００５】
【発明の実施の形態】
以下、本発明について、図面を参照しながら説明する。図１に、本発明のペン型カウンタの模式図を示した。本発明のペン型カウンタ１は、筆記部２と、前記筆記部２に接続され、前記筆記部２の、被筆記体への押圧動作に応じて退動・進出するインク収容体３と、前記インク収容体３の退動・進出動作を検出する検出手段４と前記検出手段４の出力に基づき、計数する計数手段５とを備えている。筆記部２とインク収容体３が接続されているため、本発明のペン型カウンタは、筆記可能であり、サンプル数の計測作業の際、対象となるサンプルに、目視可能な目印等を記入することができ、どこまでサンプル数を計測したかが、確認容易となっている。また、計測した数が、計数手段の表示部６に表示されるため、頭の中に計測した数を記憶しておく必要もなく、作業がより容易になる。また、途中で、計数作業を中断しても、前記のとおり、計数済みのサンプルと計測した数が目視できるため、該作業を最初からやり直す必要もなく、再開も容易である。
【０００６】
筆記部２とインク収容体３と検出手段４は、通常ペン型のケース７内に保持されており、計数手段５が、前記ケース７外に設けてもよいし、ケース７に一体に設けてもよい。インク収容体３は、通常通常のその内部にインクが収容されている。図２に本発明のペン型カウンタの一実施態様を示したが、この実施態様では、検出手段４は、マイクロスイッチ４１により構成されており、マイクロスイッチ４１で検出された信号が、計数手段５に配線ワイヤ８を通して伝送されるようになっている。
【０００７】
筆記部２を、被筆記体に押圧することにより、前記筆記体２と接続されたインク収容体３が、前記押圧力により、後退し、マイクロスイッチ４１に当接する。マイクロスイッチ４１は、インク収容体３の端部が当接すると、計数手段５に、オンの信号を伝送する。筆記部２を被筆記体から離すと、押圧力が開放されるため、インク収容体３は前進し、その端部がマイクロスイッチ４１から離れる。マイクロスイッチ４１は、インク収容体３の端部が離れると、計数手段５に、オフの信号を伝送する。計数手段５は、マイクロスイッチ４１から伝送されるオンとオフの信号の一対を、１回として、表示部に回数を表示させる。
【０００８】
マイクロスイッチにより検出手段が構成される場合、インク収容体３の端部が直接マイクロスイッチに当接すると、筆記部２の押圧力全てがマイクロスイッチに負荷されるため、マイクロスイッチの強度によっては、マイクロスイッチが破損しやすくなるため、図３に示すように、インク収容体３の端部とマイクロスイッチの間に、押圧力を緩和するための中間部材９および延長ロッド１０を設けてもよい。
【０００９】
図４に、検出手段４が、フォトセンサ４２により構成された別の実施態様の検出手段部位の模式図を示した。インク収容体３の端部がフォトセンサのセンサ部に出入可能となっており、筆記部２が、被筆記体に押圧されると、前記押圧動作により、インク収容体３の端部が、センサ部に入り、端部を検出した検出信号が計数手段５に伝送される。筆記部２が、被筆記体から離れ、押圧力がなくなると、インク収容体３の端部がセンサ部から出、端部を検出しなくなると、検出信号を計数手段５に伝送しなくなる。計数手段５は、センサ部が検出した検出信号の有無の一対を、１回として、表示部に回数を表示させる。フォトセンサの構造にもよるが、検出孔内へインク収容体３の端部が出入可能となったセンサ部のフォトセンサの場合には、図５に示すように、インク収容体３の端部が前記検出孔に出入可能な程度に、該端部の径がすぼまった形状になっていてもよい。
【００１０】
図６に、検出手段４が、圧電素子４３により構成された別の実施態様の検出手段部位の模式図を示した。圧電素子４３は、その変形許容空間４３１を覆うように、圧電素子支持体４３２に設けられている。インク収容体３の端部が圧電素子４３に当接可能となっており、筆記部２が、被筆記体に押圧されると、前記押圧動作により、インク収容体３の端部が、圧電素子４３に当接し、前記圧電素子４３を湾曲させる。前記圧電素子４３の湾曲により、筆記部の押圧動作を検出し、検出信号が計数手段５に伝送される。筆記部２が、被筆記体から離れ、押圧力がなくなると、インク収容体３の端部が圧電素子４３から離れ、前記圧電素子４３の湾曲が元に戻り、検出信号を計数手段５に伝送しなくなる。計数手段５は、圧電素子４３の湾曲による検出信号の有無の一対を、１回として、表示部に回数を表示させる。
【００１１】
マイクロスイッチにより検出手段が構成される場合と同様、圧電素子により検出手段が構成される場合も、インク収容体３の端部が圧電素子４３に当接すると、筆記部２の押圧力全てが圧電素子に負荷されるため、圧電素子が破損しにくくするため、インク収容体３の端部と圧電素子の間に、押圧力を緩和するための中間部材９および延長ロッド１０を設けてもよい。
【００１２】
計数手段５は、図２のように、配線ワイヤ等の有線信号伝達手段により検出手段４と接続されていてもよいし、図７のように、例えば赤外線等を利用した無線信号伝達手段で検出手段４と結ばれていてもよい。例えばこの場合、検出手段４で検出した信号は、赤外発光回路１１を介し発光素子１２から出力される。発光素子１２から出力された光信号は、受光素子１３によって受信され、受信された信号が、変換回路１４で変換され、計数手段に出力される。
【００１３】
【発明の効果】
本発明によれば、サンプルの数の計測作業を、より容易に行い、また当該作業を途中で中断しても、最初から作業をし直すことなく、容易に中断したところから再開できる。また、試験の採点作業や漢字等の文字の画数を計数する作業においても、本発明のペン型カウンタを用いることにより、採点の集計や画数の計数が容易になる。
【図面の簡単な説明】
【図１】本発明のペン型カウンタの模式図である。
【図２】本発明の一実施態様のペン型カウンタの断面模式図である。
【図３】中間部材および延長ロッドを設けたペン型カウンタの検出手段部位の拡大断面模式図である。
【図４】別の実施態様のペン型カウンタの断面模式図である。
【図５】図４に示したペン型カウンタのインク収容体の端部の形状をすぼめた実施態様の当該部位の拡大断面模式図である。
【図６】別の実施態様のペン型カウンタの断面模式図である。
【図７】無線信号伝達手段による実施態様の模式図である。
【符号の説明】
１・・・ペン型カウンタ、２・・・筆記部、３・・・インク収容体、
４・・・検出手段、４１・・・マイクロスイッチ、４２・・・フォトセンサ、
４３・・・圧電素子、４３１・・・圧電素子変形許容空間、
４３２・・・圧電素子支持体、５・・・計数手段、６・・・表示部、
７・・・ケース、８・・・配線ワイヤ、９・・・中間部材、
１０・・・延長ロッド、１１・・・赤外発光回路、１２・・・発光素子、
１３・・・受光素子、１４・・・変換回路
【図１】
2004255709.tif 000003
【図２】
2004255709.tif 000004
【図３】
2004255709.tif 000005
【図４】
2004255709.tif 000006
【図５】
2004255709.tif 000007
【図６】
2004255709.tif 000008
【図７】
2004255709.tif 000009